(57)【要約】【課題】所望の角度で折り曲げた状態を維持することが可能な段ボールシートを提供することを提供する。【解決手段】所定の箇所で折り曲げられて使用される段ボールシート１０であって、第１のシート部１１と、第２のシート部１２と、前記第１のシート部１１から前記第２のシート部１２に向かって延出する第１のロック片３０と、前記第２のシート部１２から前記第１のシート部１１に向かって延出する第２のロック片４０を少なくとも備え、前記第１のロック片３０の前記第２のシート部１２側の部分は、前記第１のシート部１１側の部分よりも、前記第２のロック片４０側に延出しており、前記第２のロック片４０の前記第１のシート部１１側の部分は、前記第２のシート部１２側の部分よりも前記第１のロック片３０側に延出していることを特徴とする段ボールシート。【選択図】図１
2020055641.tif 000002
【特許請求の範囲】
【請求項１】
所定の箇所で折り曲げられて使用される段ボールシートであって、
第１のシート部と、
前記第１のシート部に対して折り曲げられる第２のシート部と、
前記第１のシート部から前記第２のシート部に向かって延出する第１のロック片と、
前記第１のロック片と隣接し、前記第２のシート部から前記第１のシート部に向かって延出する第２のロック片と、
を少なくとも備え、
前記第１のロック片は、前記第２のシート部に設けられた第１の切り込み線によって区画された部分であり、
前記第２のロック片は、前記第１のシート部に設けられた第２の切り込み線によって区画された部分であり、
前記第１のロック片の前記第２のシート部側の部分は、前記第１のシート部側の部分よりも、前記第２のロック片側に延出しており、
前記第２のロック片の前記第１のシート部側の部分は、前記第２のシート部側の部分よりも前記第１のロック片側に延出していることを特徴とする段ボールシート。
【請求項２】
前記第１のロック片と、前記第２のロック片は、前記段ボールシートの中芯が延びる方向に隣接していることを特徴とする請求項１に記載の段ボールシート。
【請求項３】
前記第１のロック片と、前記第２のロック片は、前記段ボールシートの中芯が延びる方向と交わる方向に隣接していることを特徴とする請求項１に記載の段ボールシート。
【請求項４】
前記第１のシート部及び前記第２のシート部の境目であって、使用時に折り曲げられて折り目となる部分に折り目線が設けられていることを特徴とする
請求項１から請求項３のいずれか一つに記載の段ボールシート。
【請求項５】
前記第１の切り込み線、及び前記第２の切り込み線は、前記段ボールシートの表側あるいは裏側の少なくとも一方の側に設けられた切り込み線であることを特徴とする請求項１から請求項４のいずれか一つに記載の段ボールシート。
【請求項６】
前記第１のロック片の前記第２のロック片側に延出している部分を区画する前記第１の切り込み線の部分と、前記第２のロック片の前記第１のロック片側に延出している部分を区画する前記第２の切り込み線の部分は連続する直線状の切り込み線であることを特徴とする請求項１から請求項５のいずれか一つに記載の段ボールシート。
【請求項７】
前記第１のロック片の前記第２のロック片側に延出している部分を区画する前記第１の切り込み線の部分と、前記第２のロック片の前記第１のロック片側に延出している部分を区画する前記第２の切り込み線の部分は連続する略Ｓ字の形状をしていることを特徴とする請求項１から請求項５のいずれか一つに記載の段ボールシート。
【請求項８】
請求項１から請求項７のいずれか一つに記載の段ボールシートを用いて構成された包装箱であって、
前記包装箱は、
角筒体の側面部と、
前記角筒体の開口部を塞ぐ蓋フラップから構成されており、
前記第１のシート部が、前記角筒体の側面部を構成し、
前記第２のシート部が、前記蓋フラップを構成していることを特徴とする包装箱。
【請求項９】
請求項１から請求項７のいずれか一つに記載の段ボールシートを用いて構成された包装箱であって、
前記包装箱は、
前記包装箱が包装する内容物の下側の面を覆う底面部と、
前記底面部から延出し前記内容物の側面を覆う側面部と、
前記側面から延出し、前記内容物の上面の少なくとも一部を覆う上面部と、
から主に構成されており、
前記第１のシート部が、前記側面部を構成し、
前記第２のシート部が、前記底面部、又は前記上面部の少なくともいずれか一方を構成していることを特徴とする包装箱。
【請求項１０】
請求項１から請求項７のいずれか一つに記載の段ボールシートであって、
前記所定の箇所で折り曲げて使用される際に、前記第１のシート部と前記第２のシート部の、互いに近づく面の側に配置される第３のシート部を更に備えた段ボールシート。
【発明の詳細な説明】
【技術分野】
【０００１】
本発明は、商品などの梱包や包装に用いて好適な折り返し防止用の切り込みを設けた段ボールシートに関する。
【背景技術】
【０００２】
従来より商品等の包装箱や保護部材などに段ボールシートが用いられている。通常、この段ボールシートは、任意の位置で折り曲げられて、包装する商品等の形状や用途に応じた所望の形に形成される。
【０００３】
一方、段ボールシートは一定の弾性を有しているため、例え折り曲げを容易とするための折り曲げ線等を設けたとしても、テープやその他の部材を用いなければ、所望の角度で折り曲げた状態を保持することが難しいという問題がある。この問題を解決するため、段ボールシートが折り曲げられる折り目の位置に、切り込み線で区画されたロック片を設けた段ボールシートが知られている（例えば特許文献１、特許文献２参照。）。
【先行技術文献】
【特許文献】
【０００４】
【特許文献１】実公平６−１３０５９号公報
【特許文献２】特許第４３０９７４３号公報
【発明の概要】
【発明が解決しようとする課題】
【０００５】
上述の特許文献に記載された技術では、段ボールシートを所定の折り目の位置で折り曲げると、ロック片の一部が、切り込み線の外側にある段ボールシートの対応する部分と接触して係止され、段ボールシートの折り曲げ角度が保持される。
【０００６】
しかしながら、上述の特許文献に記載された技術では、ロック片の係止が十分ではなく、段ボールシートの折り曲げ角度を所望の角度で保持するのが難しいという問題があった。
【０００７】
本発明は、上記の課題を解決するためになされたものであって、所望の角度で折り曲げた状態を維持することが可能な段ボールシートを提供することを目的とする。
【課題を解決するための手段】
【０００８】
上記目的を達成するために、本発明は、以下の手段を提供する。
本発明の段ボールシートは、所定の箇所で折り曲げられて使用される段ボールシートであって、第１のシート部と、前記第１のシート部に対して折り曲げられる第２のシート部と、前記第１のシート部から前記第２のシート部に向かって延出する第１のロック片と、前記第１のロック片と隣接し、前記第２のシート部から前記第１のシート部に向かって延出する第２のロック片を少なくとも備え、前記第１のロック片は、前記第２のシート部に設けられた第１の切り込み線によって区画された部分であり、前記第２のロック片は、前記第１のシート部に設けられた第２の切り込み線によって区画された部分であり、前記第１のロック片の前記第２のシート部側の部分は、前記第１のシート部側の部分よりも、前記第２のロック片側に延出しており、前記第２のロック片の前記第１のシート部側の部分は、前記第２のシート部側の部分よりも前記第１のロック片側に延出していることを特徴とする。
【０００９】
上記発明においては、前記第１のロック片と、前記第２のロック片は、前記段ボールシートの中芯が延びる方向に隣接していることを特徴とすることが好ましい。
上記発明においては、前記第１のロック片と、前記第２のロック片は、前記段ボールシートの中芯が延びる方向と交わる方向に隣接していることを特徴とすることが好ましい。
【００１０】
上記発明においては、前記第１のシート部及び前記第２のシート部の境目であって、使用時に折り曲げられて折り目となる部分に折り目線が設けられていることを特徴とすることが好ましい。
【００１１】
上記発明においては、前記第１の切り込み線、及び前記第２の切り込み線は、前記段ボールシートの表側あるいは裏側の少なくとも一方の側に設けられた切り込み線であることを特徴とすることが好ましい。
【００１２】
上記発明においては、前記第１のロック片の前記第２のロック片側に延出している部分を区画する前記第１の切り込み線の部分と、前記第２のロック片の前記第１のロック片側に延出している部分を区画する前記第２の切り込み線の部分は、連続する直線状の切り込み線であることを特徴とすることが好ましい。
【００１３】
上記発明においては、前記第１のロック片の前記第２のロック片側に延出している部分を区画する第１の切り込み線の部分と、前記第２のロック片の前記第１のロック片側に延出している部分を区画する前記第２の切り込み線の部分は連続する略Ｓ字の形状をしていることを特徴とすることが好ましい。
【発明の効果】
【００１４】
本発明の段ボールシートによれば、第１のロック片と第２のロック片のそれぞれの側に向かって延出している部分が接触し、互いに係止されるため、テープなどのその他の部材を用いることなく、段ボールシートの折り曲げ角度が保持されるという効果を奏する。
【図面の簡単な説明】
【００１５】
【図１】図１（ａ）は、本発明の一実施形態に係る段ボールシートを用いたＬ字型保護材の展開図である。図１（ｂ）は、本発明の一実施形態に係る段ボールシートを用いたＬ字型保護材の展開図の部分拡大図である。
【図２】本発明の一実施形態に係る段ボールシートを折り曲げて形成したＬ字型保護材の斜視図である。
【図３】図３（ａ）は、本発明の一実施形態に係る段ボールシートを用いたＬ字型保護材の部分拡大図である。図３（ｂ）は、本発明の一実施形態に係る段ボールシートを用いたＬ字型保護材の部分拡大図である。
【図４】本発明の一実施形態に係る段ボールシートを折り曲げて形成したＬ字型保護材の斜視図のである。
【図５】図５（ａ）は、本発明に係る段ボールシートの変形例を示す図である。図５（ｂ）は、本発明に係る段ボールシートの他の変形例を示す図である。
【図６】図６（ａ）は、本発明に係る段ボールシートの折り曲げ試験の結果（両面段ボール、順目）を示す図である。図６（ｂ）は、図６（ａ）の折り曲げ試験における試験サンプルが折り曲げられた状態を例示する図である。
【図７】図７（ａ）は、本発明に係る段ボールシートの折り曲げ試験の結果（両面段ボール、逆目）を示す図である。図７（ｂ）は、図７（ａ）の折り曲げ試験における試験サンプルが折り曲げられた状態を例示する図である。
【図８】図８（ａ）は、本発明に係る段ボールシートの折り曲げ試験の結果（ダブルルフルート、順目）を示す図である。図８（ｂ）は、図８（ａ）の折り曲げ試験における試験サンプルが折り曲げられた状態を例示する図である。
【図９】図９（ａ）は、本発明に係る段ボールシートの折り曲げ試験の結果（ダブルルフルート、逆目）を示す図である。図９（ｂ）は、図９（ａ）の折り曲げ試験における試験サンプルが折り曲げられた状態を例示する図である。
【図１０】本発明に係る段ボールシートを用いた包装箱の一例を示す斜視図である。
【図１１】本発明に係る段ボールシートを用いた包装箱の一例を示す斜視図である。
【図１２】本発明に係る段ボールシートを用いた他の包装箱の一例を示す斜視図である。
【図１３】本発明に係る段ボールシートを用いた他の包装箱の一例を示す斜視図である。
【図１４】図１４（ａ）は、本発明の他の実施形態に係る段ボールシートを用いたＬ字型保護材の展開図である。図１４（ｂ）は、本発明の他の実施形態に係る段ボールシートをＬ字型保護材として組み立てる手順を説明する図である。
【図１５】図１５（ａ）は、本発明の他の実施形態に係る段ボールシートをＬ字型保護材として組み立てた状態を示す図である。図１５（ｂ）は、本発明の他の実施形態に係る段ボールシートをＬ字型保護材として組み立てた状態を示す図である。
【図１６】図１６（ａ）は、他の実施形態の第１の変形例に係る段ボールシートを用いたＬ字型保護材の展開図である。図１６（ｂ）は、他の実施形態の第１の変形例に係る段ボールシートをＬ字型保護材として組み立てる手順を説明する図である。
【図１７】図１７（ａ）は、他の実施形態の第１の変形例に係る段ボールシートをＬ字型保護材として組み立てた状態を示す図である。図１７（ｂ）は、他の実施形態の第１の変形例に係る段ボールシートをＬ字型保護材として組み立てた状態を示す図である。
【図１８】図１８（ａ）は、他の実施形態の第２の変形例に係る段ボールシートを用いたＬ字型保護材の展開図である。図１８（ｂ）は、他の実施形態の第２の変形例に係る段ボールシートをＬ字型保護材として組み立てる手順を説明する図である。
【図１９】図１９（ａ）は、他の実施形態の第２の変形例に係る段ボールシートをＬ字型保護材として組み立てた状態を示す図である。図１９（ｂ）は、他の実施形態の第２の変形例に係る段ボールシートをＬ字型保護材として組み立てた状態を示す図である。
【図２０】図２０（ａ）は、他の実施形態の第１の変形例に係る段ボールシートの更なる変形例の展開図である。図２０（ｂ）は、他の実施形態の第２の変形例に係る段ボールシートの更なる変形例の展開図である。
【発明を実施するための形態】
【００１６】
〔第１の実施形態〕
１．構成の説明
以下、本発明の第１の実施形態に係る段ボールシートについて主に図１から図５を参照しながら説明する。本実施形態では、本発明に係る段ボールシート１０を略Ｌ字状に折り曲げて、Ｌ字型保護部材５０として用いる例に適用して以降の説明を行う。ここで、Ｌ字型保護部材とは、その断面がＬ字状になるように板状の部材を略９０°に折り曲げたもので、梱包される商品を保護するために用いられるものである。
【００１７】
なお以降の説明において、前後、左右、上下の方向は特に断りの無い限り図中に示す方向とする。また、各図において現れている側の面を表面と、各図に現れていない側の面を裏面と記載する。
【００１８】
本実施形態に係る段ボールシート１０は、公知の段ボールシートからできている。即ち段ボールシート１０は、一組の紙製のシート（以降において「ライナー」とも記載する。）の間に、波状に形成された紙製のシート（以降において「中芯」とも記載する。）が張り合わされた紙製のシート材である。なお、以降において、この中芯の山状に形成された部分が延びる方向を、「中芯が延びる方向」、あるいは「紙巾方向」、または「順目の方向」とも記載する。また、中芯が延びる方向と交わる方向を「逆目の方向」とも記載する。
【００１９】
本実施形態に係る段ボールシート１０は、中芯が延びる方向に長い長方形状をしている。段ボールシート１０の逆目の方向における中心付近には、略Ｓ字状の複数の切り込み線２０が、段ボールシート１０の中芯の延びる方向に延びる辺、即ち段ボールシート１０の長い側の辺と略平行に、所定の間隔で直線状に並んで設けられている。
【００２０】
切り込み線２０の間には、折り線１３がそれぞれ設けられている。また、最も左側に設けられている切り込み線２０の左側の端部と、段ボールシート１０の左側の短い側の辺との間、及び最も右側に設けられている切り込み線２０の右側の端部と、段ボールシート１０の右側の短い側の辺との間にも、それぞれ折り線１３が設けられている。この折り線１３は、段ボールシート１０を折り曲げ容易にするために、公知の方法で設けられた線状の折り曲げ線であり、段ボールシート１０の長い側の辺と略平行にそれぞれ同一線上に左右に並んで設けられている。
【００２１】
即ち段ボールシート１０は、直線上に交互に並んで設けられた折り線１３及び切り込み線２０によって二つ部分に区画されている。以降において、この区画された上側の部分を「上側シート部１１」と、下側の部分を「下側シート部１２」と記載する。なお、本実施形態における上側シート部１１が、特許請求の範囲における第１のシート部と、下側シート部１２が特許請求の範囲における第２のシート部とされている。
【００２２】
切り込み線２０は、刃物などを用いた公知の方法によって段ボールシート１０を切り込むことによって形成された連続した切り込み線である。本実施形態では切り込み線２０が、段ボールシート１０の表側の面から裏側の面に貫通し、所定の箇所に連続して設けられている例に適用して以降の説明を行う。
【００２３】
切り込み線２０は、直線状の切り込み線２１〜２５から構成されている。図１（ｂ）を参照してより詳細に説明すると、切り込み線２０は、切り込み線２１〜２５が連続した切り込みとなるように、端部がつなげられて設けられている。
【００２４】
切り込み線２１及び切り込み線２５は、それぞれ折り線１３が延びる方向と交差する方向に上側シート部１１と下側シート部１２に跨がって設けられた切り込みである。切り込み線２２は、上側シート部１１に設けられた切り込みで、切り込み線２１の上側の端部から折り線１３と略平行に切り込み線２５の側に向かって延びて設けられている。
【００２５】
切り込み線２４は、下側シート部１２に設けられた切り込みで、切り込み線２５の下側の端部から折り線１３と略平行に切り込み線２１に向かって延びて設けられている。切り込み線２３は、切り込み線２２の右側の端部と切り込み線２４の左側の端部を直線状につなぐ様にして、上側シート部１１と下側シート部１２に跨がって設けられた切り込みである。
【００２６】
この切り込み線２１、２２、２３にて区画された部分が、詳細は後述するロック片３０である。即ちロック片３０は、図１（ａ）及び図１（ｂ）に示す平面図において、下側シート部１２から、上側シート部１１の側に向かって延出している略台形の部分である。ロック片３０の切り込み線２２の側の左右方向の幅は、下側（下側シート部１２側）の左右方向の幅よりも広くなっている。
【００２７】
また、切り込み線２３、２４、２５にて区画された部分が、詳細は後述するロック片４０である。即ち、ロック片４０は、図１（ａ）及び図１（ｂ）に示す平面図において、上側シート部１１から、下側シート部１２に向かって延出している略台形の部分である。ロック片４０の切り込み線２４の側の左右方向の幅は、上側の左右方向の幅よりも広くなっている。なお本実施形態におけるロック片３０が、特許請求の範囲における第１のロック片と、本実施形態におけるロック片４０が、特許請求の範囲における第２のロック片とされている。
【００２８】
切り込み線２２の右側の端部は、切り込み線２４の左側の端部よりも切り込み線２５側に延びている。このため切り込み線２３は、切り込み線２５の側、即ち右側に傾斜して設けられている。即ち、ロック片３０の切り込み線２２側の部分は、折り線１３の端部から折り線１３が延びる方向に直線状に延びる仮想線１４と切り込み線２３が交わる位置よりも、ロック片４０の側に向かって延出している。換言すればロック片３０の上側シート部１１の側の部分は、下側シート部１２側の部分よりもロック片４０の側に向かって延出している。
【００２９】
同様にロック片４０の下側シート部１２側の部分は、ロック片３０の側に延出している。即ち、ロック片４０の切り込み線２４側の部分は、仮想線１４と切り込み線２３が交わる位置よりも、ロック片３０の側に向かって延出している。換言すればロック片４０の下側シート部１２の側の部分は、上側シート部１１側の部分よりもロック片３０の側に向かって延出している。
【００３０】
なお切り込み線２３は、切り込み線２３と切り込み線２５の間にある仮想線１４となす角度Ａ（図１（ｂ）参照。）が、９０°よりも小さな角度となる様に設けられている。なおこの角度Ａは、９０°よりも小さな角度であれば、意図する折り曲げ角度、即ち上側シート部１１と下側シート部１２がなす角度や、段ボールシート１０の厚さ、あるいは段ボールシートの固さなどに応じた任意の角度としてもよい。
【００３１】
前述の様に、この切り込み線２０は、段ボールシート１０の中心付近に所定の間隔で、段ボールシート１０の長い側の辺と略平行に並んで設けられている。本実施形態では、切り込み線２０は、切り込み線２３と切り込み線２５の間の仮想線１４の長さと略同一の長さの間隔で配置されている例に適用して以降の説明を行う。なお、この切り込み線２０の設けられる間隔は、Ｌ字型保護部材５０の使用用途や段ボールシートの特性などに応じた任意の長さの間隔であってもよい。
【００３２】
なお折り線１３は、切り込み線２５のその長さが約半分となる点と、右側に隣接する切り込み線２１のその長さが約半分を結ぶ様にして設けられている。換言すれば、折り線１３の端部から延びる仮想線１４が、ロック片３０及びロック片４０の上下方向の長さの半分の位置をとおるように折り線１３は設けられている。
【００３３】
２．作用の説明
続いて主に図２を参照して、段ボールシート１０の作用について説明を行う。本実施形態に係る段ボールシート１０は、折り線１３にて折り曲げられて使用されるものである。換言すれば段ボールシート１０は、上下方向に延びる辺の側から見たときに、上側シート部１１に対する下側シート部１２の角度が略９０°となる様に折り曲げられて使用されるものである。
【００３４】
段ボールシート１０を折り曲げると、隣接するロック片３０及びロック片４０が切り込み線２０にて切り離され、ロック片３０は下側シート部１２から、ロック片４０は上側シート部１１から、それぞれ突出した状態となる（図２、図３（ａ）参照。）。即ち、ロック片３０は、下側シート部１２から、中芯が延びる方向と交わる方向に突出した状態となり、ロック片４０は、上側シート部１１から、中芯が延びる方向と交わる方向に突出した状態となる（図２、図３（ａ）参照。）。このとき、切り込み線２３にて形成されたロック片３０の断面３１と、当該ロック片３０と隣接するロック片４０の断面４１は、接触した状態となっている（図３（ａ）参照。）。
【００３５】
前述の様に、ロック片３０の切り込み線２２側の部分は、隣接するロック片４０側に向かって延出している。またロック片４０の切り込み線２４側の部分は、隣接するロック片３０側に向かって延出している。このため、下側シート部１２に対して上側シート部１１を折り曲げていくと、断面３１と断面４１は次第に強く接触する様になり、ロック片３０とロック片４０がより強く係止されるようになる。
【００３６】
上記実施形態における段ボールシート１０によれば、ロック片３０の切り込み線２２側の部分、即ち上側シート部１１側の部分は、ロック片４０の側に延出し、ロック片４０の切り込み線２４側の部分、即ち下側シート部１２側の部分は、ロック片３０の側に延出している。そして、段ボールシート１０を折り曲げると、ロック片３０及びロック片４０の前述の延出した部分の断面が互いに接触することとなり、ロック片３０とロック片４０が強く係止される。このため、テープなどのその他の部材を用いることなく、上側シート部１１と下側シート部１２が互いに係止され、折り曲げられた所望の角度が保持される。
【００３７】
また、折り線１３と切り込み線２０が、中芯が延びる方向に直線上に交互に並んで配置されて、ロック片３０とロック片４０が、中芯が延びる方向に隣接して配置されているため、段ボールシート１０を折り曲げる作業が行いやすい。
【００３８】
更に、段ボールシート１０の折り目となる部分、即ち上側シート部１１と下側シート部１２の境目の部分に折り線１３が設けられているため、更に段ボールシート１０を折り曲げる作業が行いやすい。なお段ボールシート１０を構成する段ボールシートの種類や用途によっては、折り線１３を設けない構成としてもよい。
【００３９】
更に切り込み線２３と、切り込み線２３と切り込み線２５の間にある仮想線１４のなす角度Ａが、９０°よりも小さな角度となる様に、ロック片３０とロック片４０を区画する切り込み線２３が直線状に設けられている。このため、段ボールシート１０が折り曲げられて上側シート部１１と下側シート部１２のなす角度Ｂ（図２，図３参照。）が小さくなるにつれ、断面３１と断面４１は更に強く接触する様になり、ロック片３０とロック片４０が強く係止されるようになる。即ち、段ボールシート１０の折り曲げ角度が保持されやすくなる。このため、例えば段ボールシート１０の厚さ、あるいは段ボールシートの固さなどに応じてこの角度Ａを調節することで、保持される折り曲げ角度を所望の角度に調整とすることも可能となる。
【００４０】
なお上記実施形態では、切り込み線２０が、段ボールシート１０の表側の面から裏側の面に貫通し、かつ連続して設けられた切り込み線である例に適用して説明を行った。一方、切り込み線２０は、段ボールシート１０を折り曲げた際に、ロック片３０とロック片４０を切り離すことができるのであれば、段ボールシート１０を貫通して設けられていなくてもよく、例えばボールシートの一方の側のライナーを切り込んだハーフカット（半切り）の切り込み線であってもよい。あるいは切り込み線２０は、破断線など、切り込みが断続的に設けられたものであってもよい。この様な切り込みとすることで、使用前に外部から不要な力が加わり、段ボールシート１０が意図せずに折れ曲がってしまうことが防がれる。
【００４１】
また上記実施形態では、折り線１３及び切り込み線２０が、中芯が延びる方向に並んで設けられている例に適用して説明を行ったが、折り線１３及び切り込み線２０が、中芯が延びる方向と交わる方向に並んで設けられていてもよい。即ち、ロック片３０とロック片４０が逆目の方向に隣接して設けられていてもよい（図４参照。）。
【００４２】
通常、段ボールシートにおいて、中芯の延びる方向は段ボールシートの剛性が高く折り曲げ作業が行いにくいが、この折り目となる部分に折り線１３及び切り込み線２０を設けると、段ボールシートを容易に折り曲げることができる様になる。またロック片３０及びロック片４０による係止によって、折り曲げ角度を保持する段ボールシートとすることができる。
【００４３】
なお、逆目の方向に折り線１３及び切り込み線２０を並べ、ロック片３０とロック片４０が逆目の方向に隣接する様にした場合には、切り込み線２２によって形成されたロック片３０の先側の断面３２、及び切り込み線２４にて形成されたロック片４０の先側の断面４２に、波状の中芯の断面が現れる（図３（ｂ）参照。）。ロック片３０及びロック片４０は、折り曲げられた状態でそれぞれ上側シート部１１及び下側シート部１２から突出する部分であるため、外部との接触がおきやすく、ロック片３０及びロック片４０を構成する段ボールシートのライナーが剥がれるなど、破損が生じやすい。一方、図３（ｂ）参照に示されている様に、断面３２、断面４２に中芯の波状の断面が現れた状態となっていれば、ライナーが、中芯の山の部分に一定の間隔で接着されている為、外部から力が加わってもライナーが剥がれにくいロック片３０及びロック片４０とすることが可能となる。
【００４４】
また上記実施形態では、２枚のライナーの間に中芯を貼り合わせた段ボールシート（以降において当該段ボールシートを「両面段ボール」とも記載する。）を用いた例に適用して説明を行ったが、段ボールシート１０を、複数のライナーの間にそれぞれ中芯を貼り合わせた段ボールシートを用いて構成してもよい。例えば、３枚のライナーの間に、中芯をそれぞれ貼り合わせた段ボールシート（復両面段ボール）を用いてもよい。
【００４５】
あるは、中芯の波の間隔、即ち波状に形成された中芯の隣接する山と山の間隔（以降において「波の間隔」とも記載する。）が異なる中芯を、複数のライナーの間に貼り合わせた段ボールシートを用いてもよい。例えば、３枚のライナーの一方の間に、所定の波の間隔の中芯を貼り合わせ、他方のライナーの間に前述の中芯よりも波の間隔の広い中芯を貼り合わせた段ボールシート（以降において「ダブルフルートの段ボールシート」とも記載する。）を用いてもよい（図３（ｂ）、図４参照。）。
【００４６】
通常、ダブルフルートの段ボールシートは、強い剛性を有するため折り曲げ作業を行いにくいが、この様にすることで折り曲げ作業が行い易く、また折り曲げた状態を保持できる段ボールシートとすることができる。
【００４７】
なお、この場合、少なくとも中芯の波の間隔が狭い段ボールシートが、切り込み線２０によって切り込まれている様にしてもよい。そして、折り曲げる際には、波の間隔の狭い中芯の側を外側にして、即ち、波の間隔の広い中芯の側の面を互いに近づける様にして、段ボールシート１０を折り曲げる様にしてもよい。通常、中芯の波の間隔が狭い段ボールシートはその厚さが薄く、剛性も小さいため、波の間隔の狭い中芯の側を外側にして折り曲げることで、波の間隔の広い中芯の側を外側にした場合と比べて小さな力で折り曲げることができる、折り曲げやすい段ボールシートとすることができる。
【００４８】
なお上記の実施形態では、切り込み線２２の端部と切り込み線２４の端部を直線状につなぐ切り込み線２３が設けられ、ロック片３０及びロック片４０が略台形形状に形成されている例に適用して説明を行った。一方、ロック片３０の上側シート部１１側の部分がロック片４０側に延出し、ロック片４０の下側シート部１２側の部分がロック片３０側に延出した形状であれば、ロック片３０及びロック片４０は他の形状であっても構わない。即ちロック片３０とロック片４０を区画する切り込み線は、直線以外の形状をなす切り込み線であっても構わない。
【００４９】
例えば、切り込み線２２と切り込み線２４のそれぞれの端部をつなぐ切り込み線２６が、Ｓ字状の形状の切り込み線となっており、ロック片３０の上側シート部１１側の半円状の部分が、ロック片４０側に延出し、ロック片４０の下側シート部１２側の半円状の部分が、ロック片３０側に延出する様に形成されていてもよい（図５（ａ）参照。）。あるいは、切り込み線２２と切り込み線２４のそれぞれの端部が、連続して設けられた直線状の切り込み線２７、２８、２９によってつながれて、ロック片３０の上側シート部１１側の略三角形状の部分がロック片４０側に延出し、ロック片４０の下側シート部１２側の略三角形状の部分がロック片３０側に延出する形状に形成されていてもよい（図５（ｂ）参照。）。
【００５０】
上記の実施形態の様に、切り込み線２２と切り込み線２４を直線状につなぐ切り込み線２３を設けた場合には、ロック片３０の切り込み線２２と切り込み線２３で区画される角の部分、及びロック片４０の切り込み線２４と切り込み線２３で区画される角の部分が鋭角となる。この場合には、段ボールシート１０を折り曲げてロック片３０及びロック片４０が突出した際に、これらの角の部分が外部に引っかかり、ライナーが剥がれるなど、ロック片３０やロック片４０が破損してしまう畏れがある。しかしながら、切り込み線２２と切り込み線２４の端部をつなぐ切り込みを図５（ａ）のＳ字状の切り込み線２６としたり、図５（ｂ）に示す様な角のない切り込み線２７〜２９としたりすれば、その様な角の部分がなくなる。このため、段ボールシート１０を折り曲げてロック片３０及びロック片４０が突出した状態となった際に、それらの角の部分が外部に引っかかりにくくなるため、ロック片３０及びロック片４０が破損してしまう畏れが少なくなる。
【００５１】
３．折り曲げ試験の結果
次に、本実施形態における段ボールシートの、折り曲げられた角度を保持する性能を評価するために行った折り曲げ試験の結果について説明を行う。本試験では、本実施形態に係る段ボールシート１０である試験サンプルＥと、試験サンプルＥとは異なる形状の切り込み線がそれぞれ設けられた試験サンプルＡ〜Ｄの折り曲げ角度を保持する性能を比較する試験を様々な条件で行っている。
【００５２】
なお、以降の説明において、試験サンプルＡ〜Ｅを構成する段ボールシートの、折り線及び切り込みによって区画された一方の側をシート部６０、他方の側をシート部７０と記載する。また、シート部６０とシート部７０の間の折り目に設けられた折り線を折り線８０と記載する。
【００５３】
本試験では、試験サンプルＡ〜Ｅをそれぞれ任意の角度に折り曲げて、その折り曲げ角度の経時的な変化を測定している。具体的には、折り曲げた直後、折り曲げてから１時間後、４時間後、８時間後、１日後及び４日後のそれぞれの試験サンプルの折り曲げ角度、即ちシート部６０とシート部７０のなす角度Ｂをそれぞれ測定している（図６（ａ）〜図９（ａ）参照。）。なお図６（ａ）〜図９（ａ）の測定結果において、上段にはそれぞれの時間経過時における折り曲げ角度（角度Ｂ）を、下段に折り曲げ直後から変化した角度の大きさが表されている。
【００５４】
また試験サンプルの折り曲げ状態、及び試験条件を示す代表図として、試験サンプルＥが折り曲げられた状態を示す図を図６（ｂ）〜図９（ｂ）に記載している。
【００５５】
試験サンプルＡは、シート部６０からシート部７０に向かって略台形のロック片が延出する様に切り込み線が設けられた段ボールシートである。即ち試験サンプルＡには、折り曲げた際に、シート部６０からロック片が突出する様に切り込み線が設けられている。なお試験サンプルＡのロック片は、延出する方向の先側の左右の幅が、当該ロック片が延出する元側の左右の幅よりも広い略台形の形状をしている。
【００５６】
試験サンプルＢは、シート部６０からシート部７０に向かって２つの略台形のロック片が延出し、前述の２つのロック片の間に、一つの略台形のロック片がシート部７０から延出するように切り込み線が設けられた段ボールシートである。即ち、試験サンプルＢには、折り曲げるとシート部６０から２つの略台形のロック片が突出し、シート部７０から延びる一つの略台形のロック片が、前述のシート部６０から延出する２つのロック片の間から突出する様に切り込み線が設けられている。この試験サンプルＢのロック片は、いずれも延出する方向の先側の左右の幅が、当該ロック片が延出する元側の左右の幅よりも狭い略台形形状をしている。
【００５７】
試験サンプルＣは、シート部６０からシート部７０に向かって略台形のロック片が延出し、シート部７０からシート部６０に向かって略台形のロック片が、前述のシート部６０のロック片と隣接して延出する様に切り込み線が設けられた段ボールシートである。即ち、試験サンプルＣには、折り曲げた際に、シート部６０から略台形のロック片が突出し、当該ロック片と隣接してシート部７０から略台形のロック片が突出する様に切り込み線が設けられている。なお試験サンプルＣのロック片は、いずれも延出する方向の先側の左右の幅が、当該ロック片が延出する元側の左右の幅よりも狭い略台形形状をしている。また、シート部６０から延出するロック片とシート部７０から延出するロック片を区画する斜めの切り込み線は、折り線８０と略平行に設けられているロック片の延出する側の辺との角度が、９０°よりも大きな角度となる様に設けられている。
【００５８】
試験サンプルＤは、シート部６０からシート部７０に向かって長方形のロック片が延出し、当該ロック片と隣接して、シート部７０からシート部６０に向かって長方形のロック片が延出する様に切り込み線が設けられた段ボールシートである。即ち、試験サンプルＤには、折り曲げた際にシート部６０から長方形のロック片が突出し、当該ロック片と隣接してシート部７０から長方形のロック片が突出する様に切り込み線が設けられている。
【００５９】
なお、本折り曲げ試験では、試験サンプルＡ〜Ｅを構成する段ボールシートの中芯の延びる方向と、折り線と切り込み線の異なる組み合わせ、及び試験サンプルＡ〜Ｅを構成する段ボールの種類など、条件を変えた折り曲げ角度の経時的な変化を計測する試験を行っている。
【００６０】
具体的には、試験（１）：中芯が延びる方向と同じ方向に折り曲げ線と切り込みを直線状に設けた場合（図６（ｂ）参照。）、試験（２）：中芯が延びる方向と交わる方向（逆目の方向）に折り曲げ線と切り込みを直線状に設けた場合（図７（ｂ）参照。）、試験（３）：ダブルフルートの段ボールシートの中芯が延びる方向と同じ方向に折り曲げ線と切り込みを直線状に設けた場合（図８（ｂ）参照。）、試験（４）：ダブルフルートの段ボールシートの中芯が延びる方向と交わる方向（逆目の方向）に折り曲げ線と切り込み線を直線状に設けた場合（図９（ｂ）参照。）のそれぞれの場合について、折り曲げ角度の経時的な変化を測定している。
【００６１】
なお、それぞれの試験において、試験サンプルＡ〜Ｅは、同一の種類の段ボールシートを用いて形成されている。具体的には、試験（１）、（２）では、試験サンプルＡ〜Ｅは公知の両面段ボールシートから構成されている。また、試験（３）、（４）では、試験サンプルＡ〜Ｅは、公知のダブルフルートの段ボールシートから構成されている。
【００６２】
図６（ａ）〜図９（ａ）に示されている試験結果から明らかな様に、本発明に係る段ボールシート１０である試験サンプルＥは、いずれの条件においても、他の試験サンプルＡ〜Ｄと比較して、優れた折り曲げ角度を保持する性能を有することが示されている。具体的に説明すると、試験サンプルＡ〜Ｄは、折り曲げてから８時間を経過すると、折り曲げ角度が折り曲げ直後と比較して２°〜２３°大きくなっている。一方、試験サンプルＥは、いずれの条件においても折り曲げてから８時間を経過するまでは、折り曲げ角度に変化はなく、当初の折り曲げられた角度が保持されている。
【００６３】
また、試験サンプルＥは、８日を経過すると折り曲げ角度に変化があるもの、その変化の大きさは、折り曲げ直後と比較して５°〜７°程度の変化であり、他の試験サンプルＡ〜Ｄの変化した角度よりも小さな値である。即ち、本試験結果から、本実施形態に係る段ボールシート１０（試験サンプルＡ〜Ｄ）は、他の形状の切り込みを設けた試験サンプルＡ〜Ｄと比較して、中芯の向きや使用する段ボールシート種類にかかわらず、優れた折り曲げ角度を保持する性能を有していることが示されている。
【００６４】
〔第２の実施形態〕
次に、本発明の第２の実施形態について図１０から図１１を参照しながら説明を行う。本実施形態では、本発明に係る段ボールシートが、商品の包装や輸送の際に使用される包装箱に用いられる例に適用して以降の説明を行う。なお、以降の説明において、上記の実施形態と同一の構成については同一の符号を用い、その説明を省略する。
【００６５】
１．構成の説明
本実施形態に係る包装箱１００の構成について、主に図１０、１１を参照して説明する。包装箱１００は、所定の箇所に切り込みや折り線などが設けられた段ボールシートを、折り曲げて組み立てた直方体の包装箱である。包装箱１００は、角筒体形状の本体部１６０と、本体部１６０の開口を塞ぐ内側フラップ１３０及び外側フラップ１４０から主に構成されている。
【００６６】
本体部１６０は、包装箱１００の側面を構成する部分である。本体部１６０には、包装箱１００の左右の側面である一組の側面部１１０と、前後の側面である一組の側面部１２０とが設けられている。本体部１６０は展開された状態において、側面部１１０と側面部１２０が相互に並んだ帯状の形状をしており、側面部１１０と側面部１２０との境目には、折り目２１０が設けられている。なお、本体部１６０の端部には、角筒体形状を形成する際に用いられる貼付部１５０が、折り目２１０を介して延出している。図１０及び図１１において、貼付部１５０は図示されていない。
【００６７】
即ち本体部１６０は、帯状の段ボールシートが折り目２１０にて折り曲げられて、角筒体形状に形成されたものである。なお貼付部１５０は、本体部１６０の他方の端部に貼り付けられて、角筒体形状を固定している。この角筒体形状の一方の開口が、包装箱１００の上側の開口となり、他方の開口が包装箱１００の底面側の開口となる。
【００６８】
側面部１１０の上下の辺からは、折り目２２０を介して内側フラップ１３０がそれぞれ上下の方向に延出している。この内側フラップ１３０は、折り目２２０にて側面部１１０に対して包装箱１００の内側の方向に略直角に折り曲げられて、包装箱１００の上下の開口部の少なくとも一部を塞ぐ部分である。
【００６９】
側面部１２０の上下の辺からは、折り目２３０を介して外側フラップ１４０がそれぞれ上下の方向に延出している。この外側フラップ１４０は、折り目２２０にて側面部１２０に対して略直角に折り曲げられ、内側フラップ１３０の外側に配置されて包装箱１００の上下の開口を塞ぐ部分である。なお、折り目２２０、及び折り目２３０には、複数の折り線１３及び切り込み線２０が直線状に交互に並んで設けられている。この折り線１３及び切り込み線２０は、第１の実施形態における段ボールシート１０に設けられた折り線１３及び切り込み線２０と同一のものである（図１（ｂ）参照。）。なお、本実施形態に係る内側フラップ１３０、及び外側フラップ１４０が特許請求の範囲における蓋フラップとされている。
【００７０】
２．作用の説明
続いて本実施形態に係る包装箱１００の作用について、その組み立て方法に沿って説明を行う。はじめに側面部１１０及び側面部１２０を、それぞれの面のなす角度が略直角になるように折り目２１０にて包装箱１００の内側の方向に折り曲げて、角筒体形状の本体部１６０を組み立てる。この際、本体部１６０の一方の端部にある、貼付部１５０を折り目２１０にて折り曲げて、本体部１６０の他方の端部に貼り付け、側面部１１０及び側面部１２０を固定する。
【００７１】
続いて、側面部１１０の下側の辺から延出している内側フラップ１３０を、側面部１１０に対する角度が略直角となる様に、折り目２２０にて包装箱１００の内側の方向に折り曲げる。この際、内側フラップ１３０は、折り目２２０に設けられた切り込み線２０によって側面部１１０に係止される。即ち、内側フラップ１３０と側面部１１０がなす角度である折り曲げ角度が保持される。
【００７２】
同様に、側面部１２０の下側の辺から延出している外側フラップ１４０を、側面部１２０に対する角度が略直角となる様に、折り目２３０にて包装箱１００の内側の方向に折り曲げる。この際、外側フラップ１４０は、折り目２３０に設けられた切り込み線２０によって側面部１２０に係止される。即ち、外側フラップ１４０と側面部１２０の折り曲げ角度が保持される。
【００７３】
内側フラップ１３０及び外側フラップ１４０にて包装箱１００の底面側の開口を塞いだら、折り曲げた外側フラップ１４０を、テープなど公知の部材で固定し、包装箱１００の底面を塞いだ状態で固定する。
【００７４】
包装箱１００の底面部を塞いだ状態で固定したら、包装箱１００の上側の開口を閉じる。具体的には、側面部１１０の上側の辺から延出している内側フラップ１３０を、側面部１１０となす角度が略直角となる様に折り目２２０にて包装箱１００の内側の方向に折り曲げる。この際、内側フラップ１３０は、折り目２２０に設けられた切り込み線２０によって側面部１１０に係止される。即ち内側フラップ１３０と側面部１１０の折り曲げ角度が保持される。同様に側面部１２０の上側の辺から延出している外側フラップ１４０を、側面部１２０に対する角度が略直角となる様に、折り目２３０にて包装箱１００の内側の方向に折り曲げる。この際、外側フラップ１４０は、折り目２３０に設けられた切り込み線２０によって側面部１２０に係止される。即ち外側フラップ１４０と側面部１２０の折り曲げ角度が保持される。外側フラップ１４０を折り曲げた後、必要に応じてテープなどの公知の部材によって主に外側フラップ１４０を固定して、包装箱１００の上側の開口を塞いだ状態で固定する。
【００７５】
本実施形態に係る包装箱１００では、折り目２２０及び折り目２３０に、複数の折り線１３及び切り込み線２０が相互に並んで直線状に設けられている。このため、内側フラップ１３０や外側フラップ１４０を折り曲げる際に、テープなどの部材を用いなくても折り曲げられた角度が保持される。従って、包装箱１００の上下の開口部を塞ぐ際に、内側フラップ１３０や外側フラップ１４０を手などで押さえることなく容易に包装箱１００の開口を塞ぐ作業を行うことができる。また、包装箱１００の用途によっては、包装箱１００の開口をテープなどの部材を用いることなく塞がれた状態とするも可能である。
【００７６】
〔第３の実施形態〕
次に、本発明の第３の実施形態について図１２から図１３を参照しながら説明する。本実施形態では、本発明に係る段ボールシートが、主に書籍などの板状の商品の包装に用いられるヤッコ型（たとう式）の包装箱に用いられる例に適用して以降の説明を行う。
【００７７】
１．構成の説明
はじめに本実施形態に係る包装箱３００の構成について説明を行う。
本実施形態に係る包装箱３００は、所定の箇所に切り込みや折り線などが設けられた段ボールシートが折り曲げて形成された直方体の包装箱である。包装箱３００は、底面部３１０と、それぞれ一組の側面部３２０、側面部３４０、上面部３３０、及び内側上面部３５０から主に構成されている。
【００７８】
包装箱３００の構成について、図１２〜１３を参照して具体的に説明すると、底面部３１０は、包装箱３００が包装する商品の下側の面を主に覆う部分であり、包装箱３００の底面となる部分である。なお、底面部３１０は、包装する商品の下側の面と略同一の大きさをしている。
【００７９】
側面部３２０は、包装箱３００を展開した状態において、底面部３１０の前後の辺から、折り目４１０を介して前後の方向に向かってそれぞれ延出している部分である。側面部３２０は、折り目４１０にて底面部３１０に対してなす角度が略直角となる様に折り曲げられて、商品の前後の側面を覆う部分である。
【００８０】
側面部３４０は、包装箱３００を展開した状態において、底面部３１０の左右の辺から、折り目４２０を介して、左右の方向に向かってそれぞれ延出している部分である。側面部３４０は、折り目４２０にて底面部３１０に対してなす角度が略直角となるように折り曲げられて、商品の左右の側面を覆う部分である。
【００８１】
内側上面部３５０は、包装箱３００を展開した状態において、組立時に上側となる側面部３４０の辺から、折り目４４０を介して、側面部３４０が延びる方向にそれぞれ延出している部分である。内側上面部３５０は、折り目４４０にて側面部３４０に対してなす角度が略直角となる様に折り曲げられて、商品の上側の面の少なくとも一部を覆う部分である。
【００８２】
外側上面部３３０は、包装箱３００を展開した状態において、組立時に上側となる側面部３２０の辺から、折り目４３０を介して、側面部３２０が延びる方向に向かってそれぞれ延出している部分である。外側上面部３３０は、折り目４３０にて側面部３２０となす角度が略直角となる様に折り曲げられ、商品の上側の面を覆う部分である。なお外側上面部３３０は、内側上面部３５０の上側に重ねて配置され、包装箱３００の上側の面となる部分である。なお、折り目４１０〜４４０には、複数の折り線１３及び切り込み線２０が直線状に交互に並んでそれぞれ設けられている。この折り線１３及び切り込み線２０は、第１の実施形態における段ボールシート１０に設けられた折り線１３及び切り込み線２０と同一のものである（図１（ｂ）参照。）。
【００８３】
２．作用の説明
続いて本実施形態に係る包装箱３００の作用について、その組み立て方法に沿って説明を行う。はじめに、商品を底面部３１０の表側（包装箱３００の内側を向く面）に乗せる。続いて側面部３２０、及び側面部３４０を折り目４１０、及び折り目４２０に沿ってそれぞれ底面部３１０となす角度が略直角となる様に、包装箱３００の内側に向かって折り曲げる。この様にすることで、商品の下側の面と側面が、側面部３２０及び側面部３４０で覆われた状態となる。
【００８４】
折り目４１０及び折り目４２０には、折り線１３及び切り込み線２０がそれぞれ設けられているため、容易に側面部３２０及び側面部３４０を折り曲げることができる。また、切り込み線２０によって側面部３２０と底面部３１０の折り曲げ角度、及び側面部３４０と底面部３１０の折り曲げ角度がそれぞれ保持される。
【００８５】
続いて、内側上面部３５０を折り曲げて商品の上側の面を覆う。具体的には、折り目４４０に沿って、側面部３４０に対する角度が略直角となる様に内側上面部３５０を内側に折り曲げる。この際、折り目４４０には、折り線１３及び切り込み線２０が設けられているため、内側上面部３５０を容易に折り曲げることができる。また、切り込み線２０によって、内側上面部３５０は側面部３４０に係止され、折り曲げられた角度が保持される。
【００８６】
内側上面部３５０を折り曲げて商品の上側の面を覆った後、折り目４３０に沿って上面部３３０を折り曲げる。具体的に説明すると、折り目４３０に沿って側面部３２０に対する角度が略直角となる様に、上面部３３０をそれぞれ折り曲げ、内側上面部３５０の上側に配置する。この様にすると、商品の上側の面は、上面部３３０にて覆われた状態となる。必要に応じて、上面部３３０やその他の部分をテープなどの公知の部材を用いて、包装箱３００が閉じた状態（商品を包装した状態）で固定する。
【００８７】
上記の構成からなる包装箱３００によれば、折り目４１０〜４４０に折り線１３及び切り込み線２０が直線状に設けられている。このため、商品を包装する作業を容易に行うことができる。また、切り込み線２０によって形成されたロック片３０及びロック片４０による係止によって折り曲げ角度が保持されるため、包装箱３００の組立作業を容易に行うことができる。
【００８８】
また、ロック片３０及びロック片４０による係止によって折り曲げられた角度が保持されるため、包装する商品や、包装箱３００を形成する段ボールシートの種類によっては、テープなどの公知の部材を用いることなく、商品を包装した状態とすることも可能である。
【００８９】
〔第４の実施形態〕
次に、本発明の第４の実施形態について主に図１４から図１５を参照しながら説明する。本実施形態では、本発明に係る段ボールシート５００を二つに折り畳み、更に略Ｌ字状に折り曲げてＬ字型保護部材として用いる例に適用して以降の説明を行う。なお本実施形態では、ダブルフルートの段ボールシートを用いる例に適用して説明を行うが、その他の公知の種類の段ボールシートを用いたり、あるいはその他の公知のシート材を用いたりしてもよく、これに限定される訳ではない。
【００９０】
１．構成の説明
本実施形態の段ボールシート５００は、中芯が延びる方向に長い長方形状であって略同一の大きさの表側シート部５０１と裏側シート部５０２が、中芯が延びる方向と交わる方向（逆目の方向）に並んで配置されたものである（図１４（ａ）参照。）。
【００９１】
裏側シート部５０２は、二つに折り畳んだ段ボールシート５００をＬ字状に折り曲げる際に、互いに近づく側に配置されている部分である。即ち裏側シート部５０２は、二つに畳んだ段ボールシート５００をＬ字状に折り曲げる際の、折り曲げ方向の側に配置されている部分である。表側シート部５０１は、段ボールシート５００を二つに折り畳んだ際に、裏側シート部５０２とは反対側を向く部分である。なお、以降において、段ボールシート５００によるＬ字型保護部材の、裏側シート部５０２が配置されている側の面を「内側面」と、裏側シート部５０２とは反対側の面、即ち表側シート部５０１が配置されている側の面を、「外側面」とも記載する。本実施形態における裏側シート部５０２が、特許請求の範囲における第３のシート部に相当する部分である。
【００９２】
裏側シート部５０２の中芯が延びる方向の中心付近には、逆目の方向に延びる折り目５２６が設けられている。この折り目５２６は、折り畳んだ段ボールシート５００をＬ字上に折り曲げる際の折り目となる部分である。裏側シート部５０２は、この折り目５２６によって、裏側第１シート部５２１と裏側第２シート部５２２に区画されている。折り目５２６上の任意の箇所には、折り曲げを容易にするための所定の長さの切り込み線５２８が設けられている。
【００９３】
表側シート部５０１の中芯が延びる方向の中心付近には、切り込み線５２０が設けられており、その両側には、折り目５１３が設けられている。折り目５１３は、それぞれ折り目５２６が延びる方向に延びる仮想直線５１４上に設けられている。この折り目５１３は、折り畳んだ段ボールシート５００をＬ字上に折り曲げる際の折り目となる部分である。切り込み線５２０は、仮想直線５１４と交わるように設けられている。表側シート部５０１は、折り目５１３及び切り込み線５２０によって、第１シート部５１１と第２シート部５１２に区画されている。なお、本実施形態では、切り込み線５２０の端側が、折り目５１３の端側とつながっている例に適用して説明を行うが、切り込み線５２０は、その端側が折り目５１３との交点を越え、更に表側シート部５０１の側、及び第２シート部５１２の側に延びて設けられていてもよい。
【００９４】
切り込み線５２０は、第１の実施形態における切り込み線２０に対応する切り込み線である。切り込み線５２０は、第２シート部５１２から、第１シート部５１１に向かって延出するロック片５３０と、第１シート部５１１から、第２シート部５１２に向かって延出するロック片５４０を区画している。ロック片５３０及びロック片５４０は、それぞれ仮想直線５１４を跨いで延出している。なお、ロック片５３０、ロック片５４０は、それぞれ第１の実施形態におけるロック片３０、ロック片４０に対応するものであり、詳細な説明は省略する。
【００９５】
表側シート部５０１と裏側シート部５０２の境目には、切り込み線５０３，５０４，５０５が、所定の間隔をあけて同一線上に設けられている。切り込み線５０３は、表側シート部５０１と裏側シート部５０２の境目の、第１シート部５１１側の端側に設けられた切り込み線であり、切り込み線５０５は、第２シート部５１２側の端側に設けられた切り込み線である。また、切り込み線５０４は、表側シート部５０１と裏側シート部５０２の境目の、第１シート部５１１と第２シート部５１２に跨がる部分に設けられた切り込み線である。
【００９６】
切り込み線５０３と切り込み線５０４の間であって、第１シート部５１１と裏側第１シート部５２１との境目の中心付近には、折り曲げ部５２３が設けられている。また、切り込み線５０４と切り込み線５０５の間であって、第２シート部５１２と裏側第２シート部５２２との境目の中心付近にも同様に、折り曲げ部５２３が設けられている。即ち、表側シート部５０１と裏側シート部５０２は、二つの折り曲げ部５２３にて連接され、他の部分は互いに切り離されている。
【００９７】
折り曲げ部５２３は、所定の間隔をあけ、切り込み線５０３と略平行に延びる一組の折り目５２５と、切り込み線５０３及び切り込み線５０４と交わる方向に延び、折り目５２５のそれぞれの端部をつなぐ一組の切り込み線５２４にて囲まれた部分である。折り目５２５の一方は、表側シート部５０１に設けられ、その他方は、裏側シート部５０２にそれぞれ設けられている。折り曲げ部５２３は、切り込み線５２４が延びる方向の中心を、切り込み線５０３が延びる方向にのびる仮想直線が通るように設けられている。
【００９８】
本実施形態では、この一組の折り目５２５が、段ボールシート５００の厚さの約２倍の長さの間隔で設けられている例に適用して以降の説明を行う。なお、折り目５２５を設ける間隔は、段ボールシート５００の折り畳みが容易となる長さであれば上記と異なる間隔でもよい。あるいは、折り曲げ部５２３の代わりに、段ボールシート５００の折り畳みを容易とする、他の公知の構成が設けられていてもよい。
【００９９】
本実施形態では、折り畳みを更に容易にするために、それぞれの折り曲げ部５２３の切り込み線５０３が延びる方向の中心付近に、追加の切り込み線５２７が設けられている。なお、そのような追加の切り込みは、設けられていなくてもよい。
【０１００】
２．使用方法の説明
続いて、段ボールシート５００をＬ字型保護部材として用いる使用方法について説明を行う。はじめに、表側シート部５０１と裏側シート部５０２の境目にて、段ボールシート５００を２つに折り畳む（図１４（ｂ）参照。）。このようにすると、表側シート部５０１と裏側シート部５０２は、切り込み線５０３，５０４，５０５にて切り離されると共に、それぞれ折り目５２５にて折り曲げ部５２３に対して略直交するように折り曲げられる。即ち、折り曲げ部５２３が、表側シート部５０１と裏側シート部５０２に対して略直交して配置されて、段ボールシート５００が折り畳まれる。前述のように折り目５２５は、段ボールシート５００の厚さの約２倍の長さの間隔で設けられているため、段ボールシート５００の厚さが支障となることなく、段ボールシート５００の折り畳みを行うことができる。
【０１０１】
続いて、折り目５１３、及び折り目５２６を境目にして、裏側シート部５０２が内側面になるようにして折り畳んだ段ボールシート５００を、Ｌ字状に折り曲げる。換言すれば、裏側第１シート部５２１を裏側第２シート部５２２に近づけるようにして、表側シート部５０１と裏側シート部５０２を折り曲げる（図１５（ａ）参照。）。このようにすると、ロック片５３０及びロック片５４０が、それぞれ第２シート部５１２及び第１シート部５１１から突出し、互いに当接した状態となる。このようにロック片５３０とロック片５４０が当接することで、折り畳んだ段ボールシート５００のＬ字状に折り曲げられた状態が保持される。
【０１０２】
本実施形態による段ボールシート５００によれば、二つに折り畳んだ段ボールシート５００によってＬ字型保護部材を形成している。このため、第１の実施形態と比較して、緩衝効果の大きなＬ字型保護部材を提供することができる。また、ロック片５３０及びロック片５４０を備えていることから、粘着テープなどを用いなくても、Ｌ字状に折り曲げた状態を保持することができる。
【０１０３】
なお段ボールシート５００は、逆目の方向に、切り込み線５０３，５０４，５０５及び折り曲げ部５２３を並べた構成としてもよい（図１５（ｂ）参照。）。このようにすれば、ロック片５３０及びロック片５４０の断面においてライナーの剥がれにくいＬ字型保護部材を提供することができる。また、折り目５２６の方向に加わる荷重に対して、更なる強度を有したＬ字型保護部材を提供することができる。
【０１０４】
＜第１の変形例＞
続いて、主に図１６〜図１７を参照し、本実施形態の変形例について説明を行う。本変形例では、本発明に係る段ボールシート６００を三重に折り重ね、更に略Ｌ字状に折り曲げてＬ字型保護部材として用いる例に適用して以降の説明を行う。なお以降の説明において、上記の実施形態と同一の構成には同一の符号を用いて、その詳細な説明を省略する。
【０１０５】
本変形例に係る段ボールシート６００は、中芯が延びる方向に長い略長方形状であって略同一の大きさの中側シート部６０３、表側シート部６０１、及び裏側シート部６０２が、逆目の方向に並んで連接されたものである。
【０１０６】
表側シート部６０１は、段ボールシート６００によって構成されたＬ字型保護部材の外側面となる部分であり、裏側シート部６０２は、そのＬ字型保護部材の内側面となる部分である。中側シート部６０３は、Ｌ字型保護部材を構成するために段ボールシート６００が折り畳まれる際に、表側シート部６０１と裏側シート部６０２の間に挟まれて配置される部分である。
【０１０７】
裏側シート部６０２の中芯が延びる方向の中心付近には、逆目の方向に延びる折り目５２６と切り込み線５２８が設けられている。裏側シート部６０２は、この折り目５２６によって、裏側第１シート部６２１と裏側第２シート部６２２に区画されている。
【０１０８】
表側シート部６０１の、中芯が延びる方向の中心付近には、切り込み線６２０が設けられている。この切り込み線６２０は、第１の実施形態の切り込み線２０に相当する切り込み線であり、折り目６２６が延びる方向に延びる仮想直線６１４と交わるように設けられている。表側シート部６０１は、この切り込み線６２０によって、第１シート部６１１と第２シート部６１２に区画されている。
【０１０９】
切り込み線６２０は、第２シート部６１２から、第１シート部６１１の側に延出するロック片６３０と、第１シート部６１１から第２シート部６１２の側に延出するロック片６４０を区画している。このロック片６３０、及びロック片６４０は、それぞれ第１の実施形態におけるロック片３０、ロック片４０に相当する部分であり、その詳細な説明は省略する。
【０１１０】
中側シート部６０３の中芯が延びる方向の中心付近には、仮想直線６１４が延びる方向の線上に折り目６３６が設けられている。中側シート部６０３は、折り目６３６によって中側第１シート部６３１と中側第２シート部６３２に区画されている。折り目６３６の任意の箇所には、折り曲げを容易にするための切り込み線６３８が設けられている。
【０１１１】
表側シート部６０１と中側シート部６０３の境目には、所定の間隔をあけ、切り込み線５０３，５０４，５０５が同一線上に設けられている。また、切り込み線５０３，５０４，５０５のそれぞれの間には、折り曲げ部５２３が設けられている。
【０１１２】
表側シート部６０１と裏側シート部６０２の境目にも同様に、切り込み線５０３，５０４，５０５が設けられている。切り込み線５０３，５０４，５０５のそれぞれの間には、折り曲げ部６２３が同様に設けられている。この折り曲げ部６２３は、折り曲げ部５２３に対応する部分であり、所定の間隔をあけて切り込み線５０３と略平行に延びる一組の折り目６２５と、折り目６２５のそれぞれの端部をつなぐ一組の切り込み線６２４にて囲まれた部分である。なお折り目６２５の一方は、表側シート部６０１に設けられ、折り目６２５の他方は、裏側シート部６０２に設けられている。折り曲げ部６２３は、その切り込み線６２４が延びる方向の中心を、切り込み線５０３が延びる方向に延びる仮想直線が通るように配置されている。
【０１１３】
本実施形態において、折り目６２５は、段ボールシート６００の厚さの約３倍の長さの間隔で設けられている。なお、折り目６２５が設けられる間隔は、段ボールシート６００の折り畳みに支障のない間隔であれば、上記と異なる間隔であってもよい。
【０１１４】
中側シート部６０３の、表側シート部６０１とは反対側の辺の部分であって、折り曲げた際、折り曲げ部６２３と対応する部分には、切欠部６３７がそれぞれ設けられている。切欠部６３７は、段ボールシート６００を折り畳んだ際に、その間に折り曲げ部６２３を配置可能な幅を有した切欠きである。本実施形態では、切欠部６３７の切り込み線５０３が延びる方向の長さが、折り曲げ部６２３の切り込み線５０３が延びる方向の長さと略同一である例に適用して以降の説明を行う。なお、切欠部６３７は、段ボールシート６００を折り畳んだ際に、その間に折り曲げ部６２３を配置可能であれば、上記と異なる長さの切欠きであってもよい。なお、本実施形態にかかる裏側シート部６０２及び中側シート部６０３が、特許請求の範囲における第３のシート部に相当する部分である。
【０１１５】
続いて、段ボールシート６００をＬ字型保護部材として組み立てる方法について説明を行う。はじめに、中側シート部６０３を、表側シート部６０１との境目にて、表側シート部６０１に重ねるようにして折り曲げる。
【０１１６】
さらに裏側シート部６０２を、表側シート部６０１との境目にて、中側シート部６０３に重ねるようにして折り曲げる（図１６（ｂ）参照。）。このようにすると、裏側シート部６０２と裏側シート部６０２は、切り込み線５０３，５０４，５０５にて切り離される。そして、それぞれ折り目６２５にて折り曲げ部６２３に対して略直交するように折り曲げられて、裏側シート部６０２が中側シート部６０３に重ねられて配置される。
【０１１７】
前述のように、折り曲げ部６２３は、段ボールシート６００の厚さの約３倍の幅を有している。このため、中側シート部６０３を間に配置した状態であっても、その厚さが支障となることなく、裏側シート部６０２を折り畳むことができる。換言すれば、段ボールシート６００の厚さが支障となることなく、段ボールシート６００を三重に折り畳むことができる。また、中側シート部６０３の折り曲げ部６２３と対応する部分に、切欠部６３７が設けられているため、中側シート部６０３が折り曲げ部６２３と当接して折り畳みの支障となることもない。
【０１１８】
続いて、折り畳んだ段ボールシート６００を、折り目５２６を境にして、裏側第１シート部６２１を裏側第２シート部６２２に近づけるようにしてＬ字状に折り曲げる。本実施形態では、中側シート部６０３にも折り目６３６、及び切り込み線６３８が設けられているため、そのような折り曲げを行い易い。このようにしてＬ字状に折り曲げると、第２シート部６１２から突出するロック片６３０と、第１シート部６１１から突出するロック片６４０がそれぞれ当接して、段ボールシート６００がＬ字状に折り曲げられた状態で保持される（図１７（ａ）参照。）。
【０１１９】
本変形例に係る段ボールシート６００によれば、三重に折り畳んだ段ボールシートによってＬ字型保護部材が形成されている。このため、さらに緩衝効果を増したＬ字型保護部材を提供することができる。また、折り曲げ部６２３、及び折り曲げ部５２３は、折り重ねられる段ボールシート６００の厚さに応じた幅をそれぞれ有している。このため、折り重ねられた段ボールシート６００の厚さが支障となることなく、折り畳みの作業を行うことができる。なお段ボールシート６００は、上記の実施形態と同様に、逆目の方向に、切り込み線５０３，５０４，５０５、折り曲げ部５２３及び折り曲げ部６２３を並べた構成としてもよい（図１７（ｂ）参照。）。このようにすれば上記実施形態と同様の効果が得られる。
【０１２０】
＜第２の変形例＞
本変形例に係る段ボールシート７００は、中芯が延びる方向に長い長方形であって略同一の大きさの中側シート部７０３、表側シート部７０１、裏側シート部７０２及び中側シート部７０４が、逆目の方向に並んで連接されたものである。
【０１２１】
表側シート部７０１は、段ボールシート７００によって構成されたＬ字型保護部材の外側面となる部分であり、裏側シート部７０２は、そのＬ字型保護部材の内側面となる部分である。
【０１２２】
中側シート部７０３，７０４は、Ｌ字型保護部材を構成するために段ボールシート７００が折り畳まれる際に、それぞれ表側シート部７０１と裏側シート部７０２の間に挟まれて配置される部分である。
【０１２３】
表側シート部７０１と中側シート部７０３の境目、及び裏側シート部７０２と中側シート部７０４の境目の間には、切り込み線５０３，５０４，５０５及び折り曲げ部５２３がそれぞれ設けられている。また、表側シート部７０１と裏側シート部７０２との境目には、切り込み線５０３，５０４，５０５と折り曲げ部７２３が設けられている。
【０１２４】
中側シート部７０３は、中芯が延びる方向の中心付近に設けられた、折り目６３６によって、中側第１シート部７３１と中側第２シート部７３２に区画されている。また中側シート部７０４は、中芯が延びる方向の中心付近に設けられた、折り目５２６によって、中側第１シート部７４１と、中側第２シート部７４２に区画されている。なお折り目６３６は、折り目５２６が延びる方向に延びる仮想直線７１４と同一の線上に延びている。折り目６３６，５２６の任意の箇所には、切り込み線６３８，５２８がそれぞれ設けられている。また、中側シート部７０３，７０４の、折り曲げた際に、詳細は後述する折り曲げ部７２３と対応する部分には、切欠部６３７がそれぞれ設けられている。
【０１２５】
表側シート部７０１の中芯が延びる方向の中心付近には、切り込み線７２０が設けられている。表側シート部７０１は、切り込み線７２０によって第１シート部７１１と第２シート部７１２に区画されている。この切り込み線７２０は、第１の実施形態の切り込み線２０に相当する切り込み線であり、第２シート部７１２から、第１シート部７１１の側に延出するロック片７３０と第１シート部７１１から第２シート部７１２の側に延出するロック片７４０を区画している。このロック片７３０、及びロック片７４０は、それぞれ第１の実施形態におけるロック片３０、ロック片４０に対応するものであるため、その詳細な説明は省略する。
【０１２６】
裏側シート部７０２の、中芯が延びる方向の中心付近には、仮想直線７１４と平行に延びる一組の切り込み線７２６と、切り込み線５０４にて区画された略長方形状の貫通穴７２７が設けられている。この貫通穴７２７は、その中芯が延びる方向の中心を仮想直線７１４が通るようにして設けられている。裏側シート部７０２は、この貫通穴７２７によって裏側第１シート部７２１と裏側第２シート部７２２に区画されている。なお本実施形態では、裏側第２シート部７２２側に設けられた切り込み線７２６が、切り込み線７２０と繋がっている例に適用して説明を行うが、切り込み線７２０と繋がっていなくてもよい。
【０１２７】
折り曲げ部７２３は、上記の変形例の折り曲げ部６２３に対応する部分であり、一組の折り目７２５と、折り目７２５のそれぞれの端部をつなぐ一組の切り込み線７２４にて囲まれた部分である。本実施形態において、折り目７２５は、段ボールシート７００の厚さの約４倍の長さの間隔で設けられている。なお、折り目７２５が設けられる間隔は、段ボールシート７００の折り畳みに支障のない間隔であれば、上記と異なる間隔であってもよい。なお本変形例における裏側シート部７０２及び中側シート部７０３，７０４が、特許請求の範囲における第３のシート部に相当する部分である。
【０１２８】
続いて段ボールシート７００をＬ字型保護部材として組み立てる方法について説明を行う。はじめに中側シート部７０３，７０４を、それぞれ表側シート部７０１及び裏側シート部７０２との境目にて折り曲げて、表側シート部７０１及び裏側シート部７０２に重ねて配置する（図１８（ｂ）参照。）。続いて、中側シート部７０３，７０４を重ねた表側シート部７０１、及び裏側シート部７０２を、それぞれの境目にて折り曲げる。この様にすると、表側シート部７０１に重ねた中側シート部７０３と、裏側シート部７０２に重ねた中側シート部７０４が、折り目７２５にて折り曲げ部７２３に対して略直角に折り曲げられて、段ボールシート７００が四重に折り畳まれた状態となる。前述のように折り曲げ部７２３は、厚さの約４倍の長さの幅を有しているため、このように段ボールシート７００を四重に畳んでも、その厚さが支障となることはなく、折り畳み作業が行い易い。
【０１２９】
続いて折り畳んだ段ボールシート７００を、折り目５２６を境にして、裏側第１シート部７２１を、裏側第２シート部７２２に近づけるようにしてＬ字状に折り曲げる。このようにすると、第２シート部７１２から突出するロック片７３０と、第１シート部７１１から突出するロック片７４０がそれぞれ当接して、段ボールシート７００がＬ字状に折り曲げられた状態で保持される（図１９（ａ）参照）。
【０１３０】
なお、裏側シート部７０２には、貫通穴７２７が設けられている。即ち、裏側シート部７０２の折り目となる部分には、シート部材が存在していない。このため、折り重ねた段ボールシート７００が折り曲げに伴って意図しない方向にはみ出したり、他の部分を押圧したりすることはないため、折り曲げ作業が行いやすい。また、中側シート部７０３，７０４には折り目６３６，５２６及び切り込み線６３８，５２８が設けられているため、折り畳み作業が行い易い。
【０１３１】
本変形例に係る段ボールシート７００によれば、四重に折り畳んだ段ボールシートによってＬ字型保護部材が形成される。このため、さらに緩衝効果を増したＬ字型保護部材を提供することができる。なお段ボールシート７００は、上記の変形例と同様に、逆目の方向に切り込み線５０３，５０４，５０５、折り曲げ部５２３、及び折り曲げ部７２３を並べた構成としてもよい（図１９（ｂ）参照。）。このようにすれば上記実施形態と同様の効果が得られる。
【０１３２】
なお、本発明の技術範囲は上記実施形態に限定されるものではなく、本発明の趣旨を逸脱しない範囲において種々の変更を加えることが可能である。例えば、上記の変形例において、段ボールシート６００の中側第１シート部６３１、及び中側第２シート部６３２の略中心に、貫通穴６５０を設けた構成としてもよい（図２０（ａ）参照。）。あるいは段ボールシート７００の中側第１シート部７３１，７４１、及び中側第２シート部７３２，７４２の略中心に、貫通穴７５０を設けてもよい（図２０（ｂ）参照。）。この様な貫通穴６５０，７５０を設ければ、第１シート部６１１，７１１と裏側第１シート部６２１，７２１の間、及び第２シート部６１２，７１２と裏側第２シート部６２２，７２２の間に空間が設けられるため、更に緩衝効果の増した保護部材を提供することができる。なお、段ボールシート６００の中側第１シート部６３１あるいは中側第２シート部６３２のいずれか一方、あるいは中側第１シート部７３１，７４１、又は中側第２シート部７３２，７４２の少なくともいずれか一つの部分にそのような貫通穴を設けた構成としてもよい。
【０１３３】
また、上記の実施形態では、二重、三重、四重に段ボールシートを重ねてＬ字型保護部材を形成する例に適用して説明を行ったが、更に多くの段ボールシートを重ねてＬ字型保護部材を形成してもよい。また、切り込み線５２０，６２０，７２０を、図５（ａ），（ｂ）に記載のような形状の切り込みとしてもよい。あるいは、異なる部分に追加の切り込み線７２０等を設けて、異なる部分にて更に折り曲げて、Ｌ字型とは異なる形状の保護部材を形成してもよい。あるいは、上記の実施形態を適宜組み合わせた実施形態に適用してもよく、特に限定するものではない。
【符号の説明】
【０１３４】
１０・・・段ボールシート    １１・・・上側シート部
１２・・・下側シート部    １３・・・折り線    １４・・・仮想線
２０・・・切り込み線    ２１〜２９・・・切り込み線
３０・・・ロック片    ３１，３２・・・断面    ４０・・・ロック片
４１，４２・・・断面    ５０・・・Ｌ字型保護部材
６０，７０・・・シート部    ８０・・・折り線
１００・・・包装箱    １１０，１２０・・・側面部
１３０・・・内側フラップ    １４０・・・外側フラップ
１５０・・・貼付部    １６０・・・本体部
２１０〜２３０・・・折り目    ３００・・・包装箱    ３１０・・・底面部
３２０，３４０・・・側面部    ３３０・・・上面部
３５０・・・内側上面部    ４１０〜４４０・・・折り目
５００，６００，７００・・・段ボールシート    ５０３〜５０５・・・切り込み線
５０１，６０１，７０１・・・表側シート部
５０２，６０２，７０２・・・裏側シート部
５１１，６１１，７１１・・・第１シート部
５１２，６１２，７１２・・・第２シート部
５１３，５２５，５２６，６２５，６２６，６３６，７２５・・・折り目
５１４，６１４，７１４・・・仮想直線
５３０，５４０，６３０，６４０，７３０，７４０・・・ロック片
５２１，６２１，７２１・・・裏側第１シート部
５２２，６２２，７２２・・・裏側第２シート部
５２３，６２３，７２３・・・折り曲げ部
６０３，７０３，７０４・・・中側シート部
６３１，７３１，７４１・・・中側第１シート部
６３２，７３２，７４２・・・中側第２シート部
５２４，５２７，６２４，７２４・・・切り込み線
５２８，６３８，７２６・・・切り込み線
５２０，６２０，７２０・・・切り込み線
６５０，７２７，７５０・・・貫通穴
【図１】
2020055641.tif 000003
【図２】
2020055641.tif 000004
【図３】
2020055641.tif 000005
【図４】
2020055641.tif 000006
【図５】
2020055641.tif 000007
【図６】
2020055641.tif 000008
【図７】
2020055641.tif 000009
【図８】
2020055641.tif 000010
【図９】
2020055641.tif 000011
【図１０】
2020055641.tif 000012
【図１１】
2020055641.tif 000013
【図１２】
2020055641.tif 000014
【図１３】
2020055641.tif 000015
【図１４】
2020055641.tif 000016
【図１５】
2020055641.tif 000017
【図１６】
2020055641.tif 000018
【図１７】
2020055641.tif 000019
【図１８】
2020055641.tif 000020
【図１９】
2020055641.tif 000021
【図２０】
2020055641.tif 000022